(57)【特許請求の範囲】
【請求項１】
両端部側付近に換気口が形成された天面部と、この天面部の幅方向両端部から垂下する側面部と、この側面部下端から側方に延出する延出部とを有する天板と、
前記天板の内側に設けられて屋根裏に連通される中央通気路を形成する仕切部と、前記延出部先端下面に当接する立上り片とを有し、屋根棟部に設置されると共に、前記仕切部の上端が前記天板の天面部と所定の間隔を置いて配置され、前記天面部との間に前記中央通気路及び前記換気口と連通する通し状態の通気口が形成される裾板とを有し、
前記立上り片に水抜き孔が形成され、
前記水抜き孔の前方に前記水抜き孔と対向して立ち上がる風よけ部が形成され、
前記風よけ部は、前記水抜き孔に装着される風よけ金具によって形成され、
前記風よけ金具は、前記水抜き孔の幅及び前記立上り片の厚さに略相当するくびれ部を有すると共に、
前記くびれ部を挟んで前記風よけ部と反対側に前記延出部下面に当接する当接片を有し、
前記裾板と前記天板との間に挟持、固定されることを特徴とする屋根の換気装置。
【請求項２】
請求項１において、
前記延出部の先端に、前記立上り片と前記風よけ部との間に入り込む垂れ下がり片が形成されていることを特徴とする屋根の換気装置。
【発明の詳細な説明】
【０００１】
【発明の属する技術分野】
本発明は、屋根の換気装置に関し、特に、棟部に設置される屋根の換気装置に関する。
【０００２】
【背景技術及び発明が解決しようとする課題】
この種の屋根棟部に設置される換気装置は、例えば、天板部と、裾板部とを有し、この裾板部を屋根の棟部に取り付けた笠木に固定するようにしている。
【０００３】
また、天板部内には、屋根裏に連通される通気路が形成され、天板部に換気口を形成して、屋根裏から棟部の開口、通気路、天板の換気口を経て外部へと排気可能にしている。
【０００４】
また、換気口から入り込んだ雨水は、水抜き孔から排出するようにしている。
【０００５】
しかし、このような換気装置にあっては、水抜き孔がそのまま外部に露出していると、強風時に水抜き孔から風が吹き込んで、換気装置内に溜まった雨水が躯体内に入り込んでしまうこととなる。
【０００６】
また、風が水抜き孔に当たると、風自体が壁になって、水抜き孔を塞いでしまい、換気装置内に溜まった雨水が流出しにくくなってしまうこととなる。
【０００７】
特に、大容量の換気容量を確保して、十分な換気を行なおうとすると、より確実な排水性能を確保することが必要となる。
【０００８】
本発明の目的は、大容量の換気容量を確保して、十分な換気を行うことができ、しかも、確実な排水性能を確保することのできる屋根の換気装置を提供することにある。
【０００９】
【課題を解決するための手段】
前記目的を達成するため、本発明の屋根の換気装置は、両端部側付近に換気口が形成された天面部と、この天面部の幅方向両端部から垂下する側面部と、この側面部下端から側方に延出する延出部とを有する天板と、
前記天板の内側に設けられて屋根裏に連通される中央通気路を形成する仕切部と、前記延出部先端下面に当接する立上り片とを有し、屋根棟部に設置されると共に、前記仕切部の上端が前記天板の天面部と所定の間隔を置いて配置され、前記天面部との間に前記中央通気路及び前記換気口と連通する通し状態の通気口が形成される裾板とを有し、
前記立上り片に水抜き孔が形成され、
前記水抜き孔の前方に前記水抜き孔と対向して立ち上がる風よけ部が形成され、
前記風よけ部は、前記水抜き孔に装着される風よけ金具によって形成され、
前記風よけ金具は、前記水抜き孔の幅及び前記立上り片の厚さに略相当するくびれ部を有すると共に、
前記くびれ部を挟んで前記風よけ部と反対側に前記延出部下面に当接する当接片を有し、
前記裾板と前記天板との間に挟持、固定されることを特徴とする。
【００１０】
本発明によれば、仕切板部の上端を天板の天面部と所定の間隔を置いて配置して、仕切板部と天面との間に通し状の通気口を形成することにより、通気口の開口総面積を十分に確保することができる。
【００１１】
しかも、水抜き孔の前方に、水抜き孔と対向して立ち上がる風よけ部を形成することで、風よけ部によって直接水抜き孔に風が入り込むのを防止して、躯体に雨水が入り込むのを防止でき、しかも、この風よけ部に風が当たると、風よけ部と水抜き孔との間が負圧になり、換気装置内に溜まった雨水の吸引作用が働き、確実な排水を行うことができる。
【００１２】
また、前記風よけ部は、前記水抜き孔に装着される風よけ金具によって形成されることにより、天板や裾板に複雑な加工を加えることなく、風よけ金具を設置するだけで、容易かつ確実に風よけ部を形成することができる。
【００１４】
さらに、前記風よけ金具は、前記水抜き孔の幅及び前記立上り片の厚さに略相当するくびれ部を有すると共に、前記くびれ部を挟んで前記風よけ部と反対側に前記延出部下面に当接する当接片を有し、前記裾板と前記天板との間に挟持、固定されることにより、くびれ部を水抜き孔位置に設置し、天板と裾板を連結固定すれば、当接片が延出部下面に当接した状態で、容易かつ確実に風よけ金具を挟持、固定することができる。
【００１６】
本発明においては、前記延出部の先端に、前記立上り片と前記風よけ部との間に入り込む垂れ下がり片が形成されるようにするとよい。
【００１７】
このような構成とすることにより、風よけ部に加えて、垂れ下がり片が第２の風よけ部として機能することとなり、より一層負圧状態を形成し易くなり、換気装置内に溜まった雨水の吸引作用をより増大させて、排水性能をより高めることができる。
【００１８】
【発明の実施の形態】
以下、本発明の好適な実施の形態について、図面を参照して詳細に説明する。
【００１９】
図１〜図４は、本発明の一実施の形態に係る屋根の換気装置を示す図である。
【００２０】
この屋根の換気装置１０は、図１に示すように、屋根１２の棟部１４に設置されるもので、天板１６と、対向する一対の裾板１８とを別体に有している。
【００２１】
これら天板１６及び裾板１８は、いずれも金属材料またはプラスチック材料等の押出し成形または金属板のロールフォーミング等により成形されている。
【００２２】
天板１６は、中央のヒンジ部２０を中心に両側が回転可能にされたもので、ヒンジ部２０から幅方向両側方に向けて下降傾斜する天面部２２と、この天面部２２の幅方向両端部から垂下する側面部２４と、側面部２４の下端から側方に延出する延出部２６とを有している。
【００２３】
各裾板１８は、棟部１４上に取り付けられた笠木２８上に釘、木ねじ等の固定手段により固定される裾部３０と、天板１６の内側に設けられて屋根裏３２に連通され中央通気路３４を形成する仕切部３６とを一体に有する。
【００２４】
仕切部３６は、裾部３０の対向方向端部から対向方向斜め上方に傾斜する傾斜部３８と、この傾斜部３８の傾斜上端部から垂直に立ち上がる立上り部４０とを有し、この仕切部３６と天板１６との間に室４２を形成するようになっている。
【００２５】
また、裾部３０と天板１６の延出部２６との間には、室４２の下部を閉塞する左右一対の第１及び第２の立上り片４４，４６が間隔を置いて設けられている。
【００２６】
第１の立上り片４４は、天板１６の側面部２４に沿って屈曲する連結片４８を有するものとされ、第２の立上り片４６は、延出部２６の先端側下面に向けて突出するものとされている。
【００２７】
そして、第１の立上り片４４の連結片４８を天板１６の側面部２４に当接させた状態で、ねじ５０により側面部２４と連結片４８を連結固定することにより、天板１６と裾板１８とを連結固定するようになっている。
【００２８】
この天板１６と裾板１８との連結固定によって、仕切部３６の上端が天板１６の天面部２２と所定の間隔を置いて配置され、天面部２２との間に中央通気路３４及び室４２と連通する通し状態の通気口５２が形成されるようになっている。
【００２９】
このように通気口５２を通し状態とすることで、多数の通気孔を形成する場合に比し、通気口５２の開口総面積を十分に確保することができる。
【００３０】
また、天板１６には、天面部２２の両端部側付近に換気口５４が形成されている。
【００３１】
この換気口５４は、天面部２２の幅方向において複数、例えば２つに分割形成されている。
【００３２】
これによって、天板１６、特に天面部２２の強度を維持しつつ、換気口５４の総開口面積を十分に確保することができる。
【００３３】
この換気口５４の総開口面積は、通気口５２の総開口面積と同じかそれよりも大きくなるように設定されている。
【００３４】
したがって、通気口５２の総開口面積を大きくして通気容量を増大させた分、換気口５４の総開口面積を大きくして通気容量を増大させることで、大容量の換気容量を確保して、十分な換気を行うことができるようになっている。
【００３５】
また、天面部２２の幅方向に２つ形成された換気口５４間には、下方に突出する吹込防止片５６が形成され、特に、幅方向端部側に位置する換気口５４から通気口５２に対する雨水の吹込を防止して、屋根裏３２への雨水の浸入を防止するようにしている。
【００３６】
また、この吹込防止片５６は、換気口５４部分の補強リブとしても機能することとなり、総開口面積を大きくしても換気口５４付近の強度維持を図ることができるようになっている。
【００３７】
さらに、天面部２２における通気口５２と中央側の換気口５４との間で、換気口５４近傍に下方に突出する水返し片５８が形成され、この水返し片５８によって換気口５４から入り込んだ雨水が通気口５２側に入り込むのを確実に防止するようにしている。
【００３８】
また、この水返し片５８も、天板１６、特に、天面部２２の補強リブとして機能することとなり、天面部２２の強度維持を図ることができるようになっている。
【００３９】
さらに、この水返し片５８の基部には、補強兼用のビスホール５９が形成され、このビスホール５９によって吹込防止片５６及び水返し片５８の強度を向上させるようにしている。
【００４０】
また、第１の立上り片４４の長手方向両端部には、図３に示すように、所定長さの第１の水抜き孔６０が設けられている。
【００４１】
また、第２の立上り片４６の長手方向ほぼ中央位置には、第２の水抜き孔６２が設けられている。
【００４２】
このように、第１及び第２の水抜き孔６０，６２は、長手方向で位置をずらして設けられ、換気口５４から室４２内に入り込んだ雨水は第１及び第２の水抜き孔６０，６２から外部に排出されると共に、たとえ第２の水抜き孔６２から雨水が吹き込んでも、室４２内に雨水が吹き込むのを防止することができるようにしている。
【００４３】
しかし、第２の水抜き孔６２は、最外部に位置するため、第２の水抜き孔６２がそのまま外部に露出していると、強風時に第２の水抜き孔６２から風が吹き込んで換気装置に溜った雨水６４が躯体内に入り込んでしまうこととなる。
【００４４】
また、第２の水抜き孔６２部分に風が直接当たると、風自体が第２の水抜き孔６２部分に壁を形成するような状態が生じ、第２の水抜き孔６２が塞がれて内部に溜った雨水が流出しにくくなるようなことも生じ得る。
【００４５】
そこで、第２の水抜き孔６２部分に、風よけ金具６６を装着することで、風による影響を確実に防止するようにしている。
【００４６】
この風よけ金具６６は、図４に示すように、第１及び第２の立上り片４４，４６間に装着される装着部６８と、第２の立上り片４６より外方に突出してＬ字状に立ち上がる風よけ部７０と、装着部６８と風よけ部７０間にあって第２の水抜き孔６２の幅及び第２の立上り片４６の厚さに略相当するくびれ部７２とを有している。
【００４７】
また、装着部６８には、第１の立上り片４４に沿って立ち上がる立上り部７４が形成されると共に、くびれ部７２を挟んで風よけ部７０と反対側のくびれ部７２付近に延出部２６の下面に向かってのび、延出部２６の下面に当接する一対の当接片７６が形成されている。
【００４８】
そして、第２の水抜き孔６２は、上端が開放された状態となっており、この第２の水抜き孔６２に対してくびれ部７２を位置合わせし、そのまま装着部６８を第１及び第２の立上り片４４，４６間に落とし込み、天板１６を裾板１８にねじ５０で固定すれば、当接片７６が延出部２６により押下された状態で、天板１６と裾板１８との間に挟持、固定される。
【００４９】
この状態で、風よけ部７０は、第２の水抜き孔６２の前方に、これと対向して立ち上がる状態で設置されることとなる。
【００５０】
従って、風よけ部によって直接第２の水抜き孔６２に風が入り込んで躯体に雨水が入り込むのを防止でき、しかも、風よけ部７０に風が当たると、風よけ部７０と第２の水抜き部孔６２との間が負圧になり、換気装置内に溜った雨水６４に対する吸引作用が働き、確実な排水を行うことができる。
【００５１】
また、風よけ部７０を風よけ金具６６により形成することで、天板１６や裾板１８に複雑な加工を加えることなく、風よけ金具６６を装着するだけで済むこととなり、さらには、風よけ金具６６にくびれ部７２や当接片７６を形成することで、容易かつ確実な取り付けを行うことができる。
【００５２】
さらに、本実施の形態では、図２に示すように、延出部２６の先端に、第２の立上り片４６と風よけ部７０との間に入り込む垂れ下がり片７８を形成し、風よけ部７０に加えて、垂れ下がり片７８を第２の風よけ部として機能させることで、より一層負圧状態を形成し易くし、排水性能をより高めるようにしている。
【００５３】
また、この実施の形態では、天板１６は、天面部２２の中央部分の中央部材８０と、換気口５４を含む天面部２２の両端部側部分及び側面部２４からなる両側方部材８２とで形成され、これら中央部材８０と両側方部材８２とがねじによって連結された状態となっている。
【００５４】
したがって、換気口５４からゴミ等が入り込んだ場合などに、ねじ５０等を取り外すことで、両側方部材８２を取り外して容易に清掃を行うことができるようになっている。
【００５５】
この場合、図１及び図３に示すように、両側方部材８２の両端部を長手方向で分割しておき、両端部の両側方部材８２と、中央部材８０と、裾板１８とを、長手方向両端部に設けた連結プレート８４により連結一体化しておき、中央の両側方部材８２のみを取り外し可能にしている。
【００５６】
また、このように長手方向両端部において両端部の両側方部材８２と、中央部材８０と、裾板１８とを、連結プレート８４により連結一体化しておくことで、天板１６と裾板１８との連結を確実にして強度を維持することができることとなる。
【００５７】
なお、連結プレート８４は、左右に分割して設けられ、天板１６の取り付け時におけるヒンジ部２０を用いた設置状態の調整に支障がないようにされている。
【００５８】
本発明は、前記実施の形態に限定されるものではなく、本発明の要旨の範囲内において、種々の形態に変形可能である。
【００５９】
例えば、前記実施の形態では、天板をヒンジ部によって回転可能にしているが、ヒンジ部を用いずに角度固定にすることも可能である。
【００６０】
また、換気口は幅方向に２つ設けているが、１つまたは３つ以上とすることも可能である。
【００６１】
さらに、風よけ部は、風よけ金具に形成せずに天板または裾板に一体に形成することも可能である。
【図面の簡単な説明】
【図１】本発明の一実施の形態に係る屋根の換気装置を示す外観斜視図である。
【図２】本実施の形態に係る屋根の換気装置の拡大縦断面図である。
【図３】図１の換気装置の分解斜視図である。
【図４】風よけ金具の設置状態を示す拡大斜視図である。
【符号の説明】
１０  屋根の換気装置
１６  天板
１８  裾板
２２  天面部
２４  側面部
２６  延出部
３０  裾部
３２  屋根裏
３４  中央通気路
３６  仕切部
３８  傾斜部
４４  第１の立上り片
４６  第２の立上り片
５２  通気口
５４  換気口
６０  第１の水抜き片
６２  第２の水抜き片
６６  風よけ金具
７０  風よけ部
７２  くびれ部
７６  当接片
７８  垂れ下がり片
【図１】
0003580489.tif 000002
【図２】
0003580489.tif 000003
【図３】
0003580489.tif 000004
【図４】
0003580489.tif 000005